(57)【要約】【課題】ＣＬＴを用いた床構造であって、重量床衝撃音を低減できるとともに、工期短縮を図ることができる床構造を提供する。【解決手段】本発明に係る床構造１は、ＣＬＴ（直交集成板）により形成された床材（ＣＫＴ床材２）を複数並べて形成された床主体層２０と、当該床主体層２０の上に床材（ＣＫＴ床材２）の比重よりも大きい比重の板材（ＡＬＣ板４）を複数並べて形成された重量床衝撃音低減層４０とを備えたことを特徴とする。【選択図】図１
2020026660.tif 000002
【特許請求の範囲】
【請求項１】
直交集成板により形成された床材を複数並べて形成された床主体層と、当該床主体層の上に床材の比重よりも大きい比重の板材を複数並べて形成された重量床衝撃音低減層とを備えたことを特徴とする床構造。
【請求項２】
重量床衝撃音低減層の上に表面板を複数並べて形成された表面層を備え、表面層を形成する表面板と重量床衝撃音低減層を形成する板材と床主体層を形成する床材とが固定手段により一体化されたことを特徴とする請求項１に記載の床構造。
【請求項３】
床主体層の上面と重量床衝撃音低減層の下面との間に緩衝層を備えたことを特徴とする請求項１に記載の床構造。
【請求項４】
重量床衝撃音低減層の上に表面板を複数並べて形成された表面層を備え、表面層を形成する表面板と重量床衝撃音低減層を形成する板材と緩衝層を形成する緩衝材と床主体層を形成する床材とが固定手段により一体化されたことを特徴とする請求項３に記載の床構造。
【請求項５】
板材が軽量気泡コンクリート板であることを特徴とする請求項１乃至請求項４のいずれか一項に記載の床構造。
【発明の詳細な説明】
【技術分野】
【０００１】
本発明は、ＣＬＴ（Cross Laminated Timber（直交集成板））を用いて構成された床構造に関する。
【背景技術】
【０００２】
ＣＬＴを活用した壁式構造又は軸組構造で構築された学校、ホテル、集合住宅、老人ホーム、役所などの中規模、大規模の木造建築物が知られている。
ＣＬＴを活用した木造建築物は、３階建て程度の中規模なものであれば、壁と床をＣＬＴとした壁式構造が採用されることが多い。また、中規模、大規模の木造建築物になると、壁式構造の他、柱及び梁のある軸組構造が採用され、その床にＣＬＴが活用される。
例えば、対向する一対の梁間にＣＬＴを用いた床板（ＣＬＴ床板）を設置した床構造が知られている（特許文献１参照）。
従来、ＣＬＴ床板は、例えば、厚さ１５０ｍｍ又は２１０ｍｍ、短辺の長さが最大３ｍ程度まで、長辺の長さが最大１２ｍ程度までの長方形板に形成されたものを用い、当該ＣＬＴ床板をそのまま梁間上に並ぶように設置して、ＣＬＴ床を構築している。
一方、このようなＣＬＴ床は、木製床であることから、鉄筋コンクリート床と比較した場合、比重が小さくて軽いため、特に重量床衝撃音に対する遮音性能を確保することが難しい。
そこで、特に重量床衝撃音対策を施した床構造として、図２に示すように、ＣＬＴ床材を複数並べて形成された床主体層１０１の上にコンクリート１０２を打設した床構造１００（非特許文献１参照）、あるいは、ＣＬＴ床材を複数並べて形成された床主体層の上にモルタルを打設した床構造（非特許文献２参照）等が知られている。
【先行技術文献】
【特許文献】
【０００３】
【特許文献１】特開２０１７−２５５２４号公報
【非特許文献】
【０００４】
【非特許文献１】カナダバンクーバの「ブロックコモンズ」、日経アーキテクチャー「世界の木造デザイン」、２０１７年６月２６日、ｐ６３。
【非特許文献２】ハウステンボス「変なホテル・ウエストアーム」、新建築、２０１６年７月号、ｐ１１３。
【発明の概要】
【発明が解決しようとする課題】
【０００５】
しかしながら、上述したような、床主体層の上にコンクリートを打設した床構造や床主体層の上にモルタルを打設した床構造においては、湿式工法のため、コンクリートやモルタルの乾燥期間が必要となり、工期が長くなるという欠点がある。
本発明は、ＣＬＴを用いた床構造であって、重量床衝撃音を低減できるとともに、工期短縮を図ることができる床構造を提供するものである。
【課題を解決するための手段】
【０００６】
本発明に係る床構造によれば、直交集成板により形成された床材を複数並べて形成された床主体層と、当該床主体層の上に床材の比重よりも大きい比重の板材を複数並べて形成された重量床衝撃音低減層とを備えたので、ＣＬＴを用いた床構造であって、重量床衝撃音を低減できるとともに、重量床衝撃音低減層の施工を乾式工法で実現できるようになるので、工期短縮を図ることができる床構造を提供できる。
また、重量床衝撃音低減層の上に表面板を複数並べて形成された表面層を備え、表面層を形成する表面板と重量床衝撃音低減層を形成する板材と床主体層を形成する床材とが固定手段により一体化されたので、重量床衝撃音をより低減できる。
また、床主体層の上面と重量床衝撃音低減層の下面との間に緩衝層を備えたので、重量床衝撃音をより低減できる。
また、重量床衝撃音低減層の上に表面板を複数並べて形成された表面層を備え、表面層を形成する表面板と重量床衝撃音低減層を形成する板材と緩衝層を形成する緩衝材と床主体層を形成する床材とが固定手段により一体化されたので、重量床衝撃音をさらに低減できる。
また、板材が軽量気泡コンクリート板であるので、重量床衝撃音を低減できるとともに、工期短縮を図ることができる床構造を提供できる。
【図面の簡単な説明】
【０００７】
【図１】実施形態１の床構造を示す断面図。
【図２】従来の床構造の一例を示す断面図。
【発明を実施するための形態】
【０００８】
実施形態１
図１に示すように、実施形態１に係る床構造１は、ＣＬＴにより形成されたＣＬＴ床材２を複数並べて形成された床主体層２０と、当該床主体層２０の上面２１に設けられた緩衝材３により形成された緩衝層３０と、緩衝層３０の上面３１にＣＬＴ床材２の比重よりも大きい比重の板材としてのＡＬＣ（軽量気泡コンクリート）板４を複数並べて形成された重量床衝撃音低減層４０と、重量床衝撃音低減層４０の上に表面板としての合板５を複数並べて形成された表面層５０とを備え、固定手段としてのビス６が、合板５、ＡＬＣ板４、緩衝材３を貫通するようにねじ込まれてＣＬＴ床材２に固定されたことにより、表面層５０を形成する合板５と重量床衝撃音低減層４０を形成するＡＬＣ板４と緩衝層３０を形成する緩衝材３と床主体層２０を形成するＣＬＴ床材２とが一体化されて構成される。
【０００９】
床主体層２０は、例えば、互いに平行に対向して上面が同一水平面上に位置するように配置された図外の一対の大梁又は土台間に、複数のＣＬＴ床材２，２…が、当該一対の大梁又は土台の延長方向に沿って並ぶように配置されて構成される。
尚、ＣＬＴとは、農林水産省告示第３０７９号に規定されたように、「ひき板又は小角材（これらをその繊維方向を互いにほぼ平行にして長さ方向に接合接着して調整したものを含む。）をその繊維方向を互いにほぼ平行にして幅方向に並べ又は接着したものを、主としてその繊維方向を互いにほぼ直角にして積層接着し３層以上の構造を持たせた一般材」である。
【００１０】
緩衝層３０は、面が床主体層２０の上面２１と対面するように当該床主体層２０の上面２１に例えばシート状の複数の緩衝材３，３…が並ぶように配置されて構成される。
重量床衝撃音低減層４０は、板面が床主体層２０の上面２１と対向するように緩衝層３０の上面３１に複数のＡＬＣ板４，４…が並ぶように配置されて構成される。
表面層５０は、板面が重量床衝撃音低減層４０の上面４１と対面するように当該重量床衝撃音低減層４０の上面４１に複数の合板５，５…が並ぶように配置されて構成される。
【００１１】
ＣＬＴ床材２は、例えば、厚さ寸法が２１０ｍｍ程度のものを用いる。
緩衝材３は、例えば、厚さ寸法が１０ｍｍ程度のものを用いる。
ＡＬＣ板４は、例えば、厚さ寸法が１００ｍｍ程度のものを用いる。
合板５は、例えば、厚さ寸法が１２．５ｍｍ程度のものを用いる。
【００１２】
実施形態１に係る床構造１によれば、床主体層２０の上に緩衝層３０を介して設ける板材としてＣＬＴ床材２よりも比重の大きいＡＬＣ板４を用いて重量床衝撃音低減層４０を形成した。即ち、ＡＬＣ板４の比重は、０．６ｔｏｎ／ｍ３であるのに対して、ＣＬＴ床材２の比重は、０．４５ｔｏｎ／ｍ３である。
従って、実施形態１によれば、重量床衝撃音に対する遮音性能が低い床主体層２０の上に緩衝層３０を介して複数のＡＬＣ板４，４…を並べて形成された重量床衝撃音低減層４０による重量床衝撃音低減効果によって、ＣＬＴを用いた床構造において重量床衝撃音に対する遮音性能を良くできる床構造１を提供できる。
また、緩衝層３０の上に形成する重量床衝撃音低減層４０の施工は、緩衝層３０の上に複数のＡＬＣ板４，４…を並べて設置する乾式工法によって実現できるようになるため、コンクリートやモルタルを打設する湿式工法と比べて、工期を短縮できる。
また、ＡＬＣ板４の比重は、０．６ｔｏｎ／ｍ３であり、軽量であるので、床主体層２０の上に緩衝層３０を介して複数のＡＬＣ板４，４…を並べて重量床衝撃音低減層４０を形成する作業を容易に行え、床構造１を、容易、かつ、短期間で構築できるようになる。
即ち、ＣＬＴを用いた床構造であって、重量床衝撃音を低減できるとともに、工期短縮を図ることができる床構造１を提供できるようになる。
【００１３】
さらに、床主体層２０の上面２１と重量床衝撃音低減層４０の下面４２との間に緩衝層３０を設けた構成としたので、床主体層２０の上面２１と重量床衝撃音低減層４０の下面４２との間に微小な空気層（隙間）が形成されてしまうことを防止できて、当該微小な空気層での共振現象等に伴う音の発生を防止できるようになるので、ＣＬＴを用いた床構造において重量床衝撃音に対する遮音性能が向上する床構造１を提供できるようになる。
【００１４】
尚、緩衝層３０を形成する緩衝材３としては、重量床衝撃音低減層４０及び表面層５０の荷重を受けつつ、変形及び復元して、固体層である床主体層２０の上面２１と重量床衝撃音低減層４０の下面４２との間に生じる微小な隙間を塞ぐことが可能な材料、例えば、合成ゴム発泡体や、化学架橋ポリエチレン樹脂発泡体等により形成された可撓性シート等を使用すればよい。
【００１５】
また、重量床衝撃音低減層４０の上に表面層５０を形成し、ビス６を用いて、表面層５０を形成する合板５と重量床衝撃音低減層４０を形成するＡＬＣ板４と緩衝層３０を形成する緩衝材３と床主体層２０を形成するＣＬＴ床材２とを一体化させた構造としたので、ＣＬＴを用いた床構造において重量床衝撃音に対する遮音性能がより向上する床構造１を提供できるようになる。
また、ビス６を用いて、合板５とＡＬＣ板４と緩衝材３とＣＬＴ床材２とを一体化させたので、地震時等において、各部材同士のずれを防止できる。
また、重量床衝撃音低減層４０の上に合板５による表面層５０を備えたので、床構造１の上に支持脚を配置して所謂二重床を構築する場合において、支持脚を介して重量床衝撃音低減層４０のＡＬＣ板４に荷重が集中して加わってしまうことを防止でき、ＡＬＣ板４が割れてしまうようなことを防止できるようになる。
【００１６】
実施形態２
実施形態１では、ビス６を用いて、合板５とＡＬＣ板４と緩衝材３とＣＬＴ床材２とを一体化させた床構造１を例示したが、長さ寸法の短いビスを用いて、合板５とＡＬＣ板４とを一体化させた床構造としてもよい。
実施形態２による床構造の場合、緩衝層３０よりも上方に位置される重量床衝撃音低減層４０と表面層５０とで構成された上部層と床主体層２０とが緩衝層３０を介して互いに独立した構成となるため、上部層と床主体層２０とが個別に揺れる。しかしながら、実施形態２による床構造においても、緩衝層３０を備えていることにより、床主体層２０の上面２１と重量床衝撃音低減層４０の下面４２との間に微小な空気層が形成されてしまうことを防止できるとともに、上部層と床主体層２０とが緩衝層３０により弾性的に連結されたような構成となるため、重量床衝撃音を低減できるとともに、工期短縮を図ることができる床構造を提供できるようになる。
【００１７】
実施形態３
実施形態１では、ビス６を用いて、合板５とＡＬＣ板４と緩衝材３とＣＬＴ床材２とを一体化させた床構造１を例示したが、ＣＬＴ床材２を複数並べて形成された床主体層２０の上に緩衝層３０を形成し、緩衝層３０の上に板材としてのＡＬＣ板４を複数並べて重量床衝撃音低減層４０を形成し、ＡＬＣ板４と緩衝材３とＣＬＴ床材２とを一体化させない床構造としてもよい。
即ち、ＣＬＴ床材２を複数並べて形成された床主体層２０と、床主体層２０の上に形成された緩衝層３０と、緩衝層３０の上にＡＬＣ板４を複数並べて形成された重量床衝撃音低減層４０とで構成された床構造としてもよい。
当該実施形態３による床構造であっても、ＣＬＴを用いた床構造において、重量床衝撃音低減層４０及び緩衝層３０を備えたので、重量床衝撃音を低減できるとともに、工期短縮を図ることができる床構造を提供できるようになる。
【００１８】
実施形態４
また、ＣＬＴ床材２を複数並べて形成された床主体層２０の上に板材としてのＡＬＣ板４を複数並べて重量床衝撃音低減層４０を形成し、ＡＬＣ板４とＣＬＴ床材２とを一体化させない床構造であってもよい。
即ち、ＣＬＴ床材２を複数並べて形成された床主体層２０と、床主体層２０の上にＡＬＣ板４を複数並べて形成された重量床衝撃音低減層４０とで構成された床構造としてもよい。
当該実施形態４による床構造であっても、ＣＬＴを用いた床構造において、重量床衝撃音低減層４０を備えたので、重量床衝撃音を低減できるとともに、工期短縮を図ることができる床構造を提供できるようになる。
【００１９】
実施形態５
ＣＬＴ床材２を複数並べて形成された床主体層２０と、床主体層２０の上にＡＬＣ板４を複数並べて形成された重量床衝撃音低減層４０と、重量床衝撃音低減層４０の上に合板５を複数並べて形成された表面層５０とを備え、表面層５０を形成する合板５と重量床衝撃音低減層４０を形成するＡＬＣ板４と床主体層２０を形成するＣＬＴ床材２とが固定手段としてのビス６により一体化された構成の床構造としてもよい。
当該実施形態５による床構造であっても、ＣＬＴを用いた床構造において、重量床衝撃音低減層４０を備えるとともに、ビス６を用いて、表面層５０を形成する合板５と重量床衝撃音低減層４０を形成するＡＬＣ板４と床主体層２０を形成するＣＬＴ床材２とを一体化させたので、重量床衝撃音を低減できるとともに、工期短縮を図ることができる床構造を提供できるようになる。
【００２０】
尚、上記では、重量床衝撃音低減層４０を形成する板材として、比重がＣＬＴ床材２の比重より大きいＡＬＣ板４を用いた例を示したが、重量床衝撃音低減層４０を形成する板材は、比重がＣＬＴ床材２の比重（０．４５ｔｏｎ／ｍ３）より大きい材料により形成された板材であればよい。即ち、重量床衝撃音低減層４０を形成する板としては、ＡＬＣ以外の材料により形成された板、例えば、鉄板（比重７．８５（ｔｏｎ／ｍ３））、プレキャストコンクリート板（比重２．８５（ｔｏｎ／ｍ３））等の板材を用いるようにしても良い。
【００２１】
また、表面層５０を形成する表面板として合板５を用いた例を示したが、表面層５０を形成する表面板は、ビス６を締結可能な板であれば、合板以外の板を用いても構わない。
【符号の説明】
【００２２】
１  床構造、２  ＣＬＴ床材（床材）、３  緩衝材、４  ＡＬＣ板（板材）、
５  合板（表面板）、６  ビス（固定手段）、２０  床主体層、３０  緩衝層、
４０  重量床衝撃音低減層、５０  表面層。
【図１】
2020026660.tif 000003
【図２】
2020026660.tif 000004